(57)【要約】      （修正有）【課題】全体として厚みの均一化を図ることができる冊子状印刷物を提供する。【解決手段】冊子状印刷物１０に一対の表紙と、中紙１３とを備えている。一対の表紙と中紙１３は同一の平面形状をもち、４辺の周縁に接着部２０Ａ、２０Ｂ、２０Ｃ、２０Ｄが形成されている、表紙にコ字状のミシン目線１５が形成され、中紙１３にミシン目に対応してコ字状の打ち抜き線１３ａが形成されている。【選択図】図１Ｂ
2020040339.tif 000002
【特許請求の範囲】
【請求項１】
矩形状の一対の表紙と、
前記一対の表紙間に配置された矩形状の中紙とを備え、
前記一対の表紙および前記中紙は、各々同一平面形状をもち、
前記一対の表紙および前記中紙の４辺の周縁が接着されて、接着部が形成され、
少なくとも一つの表紙の接着部内の領域に、コ字状の破断予定線が形成され、
前記中紙に、前記コ字状の破断予定線に対応してコ字状の打ち抜き線が形成されている、冊子状印刷物。
【請求項２】
前記破断予定線が形成されていない部分に綴じ部が設けられ、この綴じ部は、１辺の周縁の接着部に対応して形成されている、請求項１記載の冊子状印刷物。
【請求項３】
複数の破断予定線が設けられ、一の破断予定線の綴じ部は１辺の周縁の接着部に対応して形成され、他の破断予定線の綴じ部に対応して、前記一対の表紙および前記中紙を接着する追加接着部が設けられている、請求項１記載の冊子状印刷物。
【請求項４】
前記打ち抜き線により囲まれた領域は、対応する破断線により囲まれた領域と同一または小さい、請求項１乃至３のいずれか記載の冊子状印刷物。
【請求項５】
各表紙の接着部内の領域に、前記コ字状の破断予定線が形成されている、請求項１乃至４のいずれか記載の冊子状印刷物。
【発明の詳細な説明】
【技術分野】
【０００１】
本開示の実施の形態は、商品カタログ、パンフレット等を冊子の状態で郵送、宅配、あるいは手渡し等をすることができ、受け取った顧客が容易に開封できる冊子状印刷物に関する。
【背景技術】
【０００２】
従来より、商品又は役務の内容を記載した冊子状印刷物（カタログ、パンフレット等）が、種々の分野で広く利用されている。例えば、特定の顧客向けサービスとしてデパートなどが行うギフト商品の紹介、旅行会社が行う旅行案内、あるいは、通販会社等で、過去に注文を受けた顧客等に対して、ダイレクトメールが送られる。
【０００３】
冊子状印刷物としては一対の表紙と、一対の表紙間に設けられた中紙とを有するものが知られている（特許文献１参照）。
【０００４】
このような冊子状印刷物は、一般に一対の表紙に比べて中紙が小さくなっており、中紙を一対の表紙間に綴じ込んでいる。
【０００５】
しかしながら一対の表紙に比べて中紙が小さくなっていると、作製された冊子状印刷物は、その中央部が周縁部に比べて膨らんでしまう。
【０００６】
このような場合、冊子状印刷物の厚みを全体として均一とすることができれば、積み重ねて保管する際いずれかの方向に傾くことなく整然と積み重ねることができる。
【先行技術文献】
【特許文献】
【０００７】
【特許文献１】特開２０１０−２６９４４８号公報
【発明の概要】
【発明が解決しようとする課題】
【０００８】
本開示の実施の形態はこのような点を考慮してなされたものであり、全体の厚みを均一化して容易に取り扱うことができる冊子状印刷物を提供することを目的とする。
【課題を解決するための手段】
【０００９】
本開示の実施の形態は、矩形状の一対の表紙と、前記一対の表紙間に配置された矩形状の中紙とを備え、前記一対の表紙および前記中紙は、各々同一平面形状をもち、
前記一対の表紙および前記中紙の４辺の周縁が接着されて、接着部が形成され、少なくとも一つの表紙の接着部内の領域に、コ字状の破断予定線が形成され、前記中紙に、前記コ字状の破断予定線に対応してコ字状の打ち抜き線が形成されている、冊子状印刷物。
【００１０】
本開示の実施の形態は、前記破断予定線が形成されていない部分に綴じ部が設けられ、この綴じ部は、１辺の周縁の接着部に対応して形成されている、冊子状印刷物。
【００１１】
本開示の実施の形態は、複数の破断予定線が設けられ、一の破断予定線の綴じ部は１辺の周縁の接着部に対応して形成され、他の破断予定線の綴じ部に対応して、前記一対の表紙および前記中紙を接着する追加接着部が設けられている、冊子状印刷物。
【００１２】
本開示の実施の形態は、前記打ち抜き線により囲まれた領域は、対応する破断線により囲まれた領域と同一または小さい、冊子状印刷物。
【００１３】
本開示の実施の形態は、各表紙の接着部内の領域に、コ字状の破断予定線が形成されている、冊子状印刷物。
【発明の効果】
【００１４】
以上のように、本開示の実施の形態によれば、全体の厚みを均一化して、冊子状印刷物の取り扱いを容易に行うことができる。
【図面の簡単な説明】
【００１５】
【図１Ａ】図１Ａは実施の形態による冊子状印刷物を示す斜視図。
【図１Ｂ】図１Ｂは便宜上接着部が表側表面から現れた状態を示す図１Ａと同様の図。
【図２】図２は実施の形態による冊子状印刷物を示す平面図。
【図３】図３は図２のＡ部拡大図。
【図４】図４は実施の形態による冊子状印刷物を示す断面図。
【図５】図５は実施の形態による冊子状印刷物の使用状態を示す斜視図。
【図６】図６は冊子状印刷物の変形例を示す平面図。
【図７】図７は冊子状印刷物の変形例を示す平面図。
【発明を実施するための形態】
【００１６】
以下、図面を参照して本実施の形態による冊子状印刷物について辻べる。ここで図１乃至図５は本実施の形態による冊子状印刷物を示す図である。
【００１７】
図１Ａ乃至図５に示すように、冊子状印刷物１０は、矩形状の一対の表紙１１、１２と、一対の表紙１１、１２の間に配置された矩形状の複数、例えば２枚の中紙１３、１４とを備えている（図４参照）。
【００１８】
上述した一対の表紙１１、１２および２枚の中紙１３、１４は各々同一平面形状をもっている。
【００１９】
このような構成からなる冊子状印刷物１０は、ダイレクトメール用の印刷物であり、表側の表紙１１の外面には差出料金表示や受取人である顧客の送り先、宛名記載部、例えば提供する情報の広告、あるいは送り手の社名を記載した差出人記載部が設けられている。
【００２０】
また裏側の表紙１２の外面には、送り手の住所、連絡先等の差出人情報が記載されている。
【００２１】
また中紙１３、１４には、ダイレクトメールの具体的情報が記載されており、さらにいずれかの中紙１３、１４がダイレクトメールの具体的情報に対して返信するための返信はがきを含むこともある。このように、いずれかの中紙１３、１４が返信用はがきを含む場合、中紙１３、１４には、返信用はがきを区画するミシン目線が予め設けられている。
【００２２】
図１Ａ乃至図５により冊子状印刷物１０について更に述べる。図１乃至図５に示すように、一対の表紙１１、１２および中紙１３、１４の４辺の周縁が接着剤２０により接着され、一対の表紙１１、１２および中紙１３、１４の４辺の周縁に各々接着部２０Ａ、２０Ｂ、２０Ｃ、２０Ｄが形成されている。
【００２３】
また、一対の表紙１１、１２のうちの一方、例えば表側の表紙１１には、接着部２０Ａ、２０Ｂ、２０Ｃ、２０Ｄの内側の領域に綴じ部１５Ａを残してコ字状のミシン目線（破断予定線）１５が形成されている。本実施の形態において、接着部２０Ａ、２０Ｂ、２０Ｃ、２０Ｄのうち、接着部２０Ａはコ字上のミシン目線１５が形成されない辺に設けられ、冊子状印刷物１０の綴じ部１５Ａとして機能する。また、接着部２０Ａ、２０Ｂ、２０Ｃ、２０Ｄは実際には表側の表紙１１上には現れないが（図１Ａ参照）、本実施の形態においては便宜上、接着部２０Ａ、２０Ｂ、２０Ｃ、２０Ｄが表側の表紙１１上に現れた状態を示す（図１Ｂ、図２，図５乃至図７参照）。
【００２４】
ここで「内側の領域」とは、図２に示す冊子状印刷物１０において、接着部２０Ａ、２０Ｂ、２０Ｃ、２０Ｄにより囲まれた内側の領域をいう。
【００２５】
この場合、ミシン目線１５が接着部２０Ａ、２０Ｂ、２０Ｃ、２０Ｄのうち、３辺の周縁のコ字状の接着部２０Ｂ、２０Ｃ、２０Ｄに対応して設けられ、１辺の周縁の接着部２０Ａは上述のように綴じ部１５Ａとして機能する。
【００２６】
またコ字状のミシン目線１５の中心を通る中心線は、対応するコ字状の接着部２０Ｂ、２０Ｃ、２０Ｄの内周縁よりわずかに内側に入った位置に設けられている。
【００２７】
ところで、図３に示すように、ミシン目線１５は連続して配置された複数の単位ミシン目線１５１からなり、各単位ミシン目線１５１は表紙１１を貫通して設けられるとともに
Ｖ字状部１５２と直線部１５３とを含む。そして一の単位ミシン目線１５１のＶ字状部１５２内に、隣接する単位ミシン目線１５１の直線部１５３が入り込んでいる。またコ字状ミシン目線１５の一つの隅部には、ミシン目線１５を破断する際の切っ掛けとなる把持部１６が表紙１１を貫通して形成されている（図２および図３参照）。
【００２８】
更にまた、２枚の中紙１３、１４には、コ字状のミシン目線１５に対応してコ字状の打ち抜き線１３ａ、１４ａが形成されている。
【００２９】
２枚の中紙１３、１４に形成された打ち抜き線１３ａ、１４ａは、各々中紙１３、１４を貫通して形成され、コ字状のミシン目線１５より内側の領域に、ミシン目線１５に沿って形成されている。
【００３０】
ここで「内側の領域」とは、ミシン目線１５により囲まれた内側の領域をいい、打ち抜き線１３ａ、１４ａは、ミシン目線１５の中心線よりわずかに内側に入った位置に設けられている。
【００３１】
なお、打ち抜き線１３ａ、１４ａを、ミシン目線１５の内側にわずかに入った位置に設ける代わりに、ミシン目線１５と同一形状をもつよう形成してもよい。また、打ち抜き線１３ａ、１４ａは、中紙１３，１４をめくるに従って徐々に内側に形成されていく構造を持っていてもよい。打ち抜き線１３ａ、１４ａがこのような構成を持つことにより複数枚の中紙１３，１４を同時にめくることが起こりにくくなるため、使用者の利便性が向上する。
【００３２】
さらにいずれかの中紙１３、１４が返信用はがきを含む場合、当該中紙１３、１４に、打ち抜き線１３ａ、１４ａに加えて、返信用はがきを区画するミシン目線（図示せず）を設けてもよい。
【００３３】
上述のようにミシン目線１５は複数の単位ミシン目線１５ａからなり、ミシン目線１５の中心線は、各単位ミシン目線１５ａの中心位置を通る。
【００３４】
次にこのような構成からなる本実施の形態の作用について説明する。
【００３５】
冊子状印刷物１０を受け取った使用者は、まず把持部１６を把持して表紙１１を上方へ引っ張り、表紙１１をコ字状のミシン目線１５に沿って破断し開封する（図１参照）。次に表紙１１の破断が綴じ部１５Ａとして機能する接着部２０Ａに達したところで、表紙１１の破断作業が終了する。
【００３６】
この際、中紙１３、１４にはコ字状のミシン目線１５に対応して、各々コ字状の打ち抜き線１３ａ、１４ａが形成されている。使用者はまず表紙１１のうち破断された部分１１ａを大きく拡げておき、次に中紙１３、１４を一枚ずつ順次拡げる。この場合、中紙１３、１４には、コ字状のミシン目線１５に対応して打ち抜き線１３ａ、１４ａが形成されているため、容易に中紙１３、１４を順次、綴じ部１５Ａとして機能する接着部２ＯＡ側へ向かって拡げることができる。この間、使用者は表紙１１の内面に記載されている情報、各中紙１３、１４の両面に記載されている情報、表紙１２の内面に記載されている情報を容認かつ確実に確認することができる。
【００３７】
以上のように本実施の形態によれば、冊子状印刷物１０を構成する一対の表紙１１、１２および２枚の中紙１３、１４が同一の平面形状をもつため、冊子状印刷物１０の全体の厚みを均一化させることができる。このため複数の冊子状印刷物１０を積み重ねて保管する際、冊子状印刷物１０の中央部のみが膨らむことが無いため、いずれかの方向に傾くことなく、整然と積み重ねることができ、冊子状印刷物１０の取り扱いが容易となる。
【００３８】
次に図６および図７により本実施の形態の変形例について説明する。
【００３９】
上記実施の形態において、一対の表紙１１、１２のうち表側の表紙１１にコ字状のミシン目線１５を設けた例を示したが、表側の表紙１１にミシン目線１５を設けるとともに、裏側の表紙１２にもミシン目線１５を設けてもよい（図６参照）。
【００４０】
図６に示すように、冊子状印刷物１０の４辺の周縁に接着部２０Ａ、２０Ｂ、２０Ｃ、２０Ｄが設けられ、表紙１１および表紙１２の双方に、１辺の周縁の接着部２０Ａに対応する綴じ部１５Ａを残してコ字状のミシン目線１５が設けられている。そして表紙１１および表紙に設けられたミシン目線１５の隅部に破断する際の切っ掛けとなる把持部１６が表紙１１を貫通して設けられている。
【００４１】
図６に示す変形例によれば、表側の表紙１１からミシン目線１５に沿って表紙１１を破断して開封することができ、かつ裏側の表紙１２からもミシン目線１５に沿って表紙１２を破断して開封することができる。
【００４２】
次に図７により本実施の形態による他の変形例について述べる。
【００４３】
なお、図７に示す変形例において、図１Ａ乃至図５に示す実施の形態と同一部分には同一の符号を付して詳細な説明は省略する。
【００４４】
図７に示すように、冊子状印刷物１０は、矩形状の一対の表紙１１、１２と、矩形状の２枚の中紙１３、１４とを備え、一対の表紙１１、１２と２枚の中紙１３、１４は同一の平面形状をもつ。また、一対の表紙１１、１２および中紙１３、１４の４辺の周縁が接着剤２０により接着され、一対の表紙１１、１２および中紙１３、１４の４辺の周縁に各々接着部２０Ａ、２０Ｂ、２０Ｃ、２０Ｄが形成されている。
【００４５】
また、一対の表紙１１、１２のうちの一方、例えば表側の表紙１１には、接着部２０Ａ、２０Ｂ、２０Ｃ、２０Ｄの内側の領域に複数、例えば２つのコ字状のミシン目線（破断予定線）１５が形成されている。
【００４６】
具体的には、一対の表紙１１、１２および中紙１３、１４は、接着部２０Ｂの中央部と接着部２０Ｃの中央部を結ぶ位置において接着剤２０により接着され、一対の表紙１１、１２および中紙１３、１４には、接着部２０Ｂの中央部と接着部２０Ｃの中央部を結ぶ追加接着部２０Ｅが形成されている。この場合、一方、例えば図７において左側のコ字状のミシン目線１５は接着部２０Ｂ、２０Ｃおよび追加接着部２０Ｅに沿って設けられ、ミシン目線１５が形成されていない接着部２０Ａは、綴じ部１５Ａとして機能する。
【００４７】
また図７において右側のコ字状のミシン目線１５は接着部２０Ｂ、２０Ｃ、２０Ｄに沿って設けられ、ミシン目線１５が形成されていない追加接着部２０Ｅは綴じ部１５Ａとして機能する。
【００４８】
また左側のコ字状のミシン目線１５の中心線は対応する接着部２０Ｂ、２０Ｃ、追加接着部２０Ｅの内周縁よりわずかに内側に入った位置に設けられている。さらに右側のミシン目線１５の中心線は、対応する接着部２０Ｂ、２０Ｃ、２０Ｄの内周縁よりわずかに内側に入った位置に設けられている。
【００４９】
また、各ミシン目線１５の一つの隅部には、ミシン目線１５を破断する際の切っ掛けとなる把持部１６が形成されている。
【００５０】
更にまた、２枚の中紙１３、１４には、コ字状の各々のミシン目線１５に対応してコ字状の打ち抜き線１３ａ、１４ａが形成されている。
【００５１】
２枚の中紙１３、１４に形成された打ち抜き線１３ａ、１４ａは、各々中紙１３、１４を貫通して形成され、２つのコ字状のミシン目線１５より内側の領域にミシン目線１５に沿って形成されている。
【００５２】
ここで「内側の領域」とは、ミシン目線１５により囲まれた内側の領域をいい、打ち抜き線１３ａ、１４ａは、ミシン目線１５の中心線よりわずかに内側に入った位置に設けられている。
【００５３】
なお、打ち抜き線１３ａ、１４ａを、ミシン目線１５の内側にわずかに入った位置に設ける代わりに、ミシン目線１５と同一平面形状をもつよう形成してもよい。
【００５４】
図７に示す変形例によれば、表紙１２に２つのコ字状のミシン目線１５、１５が形成されているので、表紙１１を各ミシン目線１５、１５に沿って破断した後、中紙１３、１４のうち各ミシン目線１５、１５に対応する部分に各々独立した情報を記載することができる。
【符号の説明】
【００５５】
１０  冊子状印刷物
１１  表側の表紙
１２  裏側の表紙
１３、１４  中紙
１３ａ、１４ａ  打ち抜き線
１５  ミシン目線
１５ａ  単位ミシン目線
１６  把持部
２０  接着剤
２０Ａ、２０Ｂ、２０Ｃ、２０Ｄ  接着部
２０Ｅ  追加接着部
【図１Ａ】
2020040339.tif 000003
【図１Ｂ】
2020040339.tif 000004
【図２】
2020040339.tif 000005
【図３】
2020040339.tif 000006
【図４】
2020040339.tif 000007
【図５】
2020040339.tif 000008
【図６】
2020040339.tif 000009
【図７】
2020040339.tif 000010